(57)【要約】      （修正有）【課題】瞬時帯域幅が大きい単純化された増幅器を提供する。【解決手段】増幅器回路１００は、入力信号１０１を受けるように構成された入力ポート１０３を備えた信号分配器１０２からの別々の重複する周波数帯域の信号を増幅するように構成された少なくとも２つの信号経路１０９、１１０を有し、２つの信号経路の増幅信号を合成して合成増幅信号を提供するように構成されたダイプレクサ１１５とを備える。【選択図】図１
2019033473.tif 000002
【特許請求の範囲】
【請求項１】
入力信号（１０１，２０１，３０１）を増幅する増幅器回路（１００，２００，３００）であって、
別々の重複する周波数帯域（５５０，５５１，５５２）の信号を増幅するように構成された少なくとも２つの信号経路（１０９，１１０，２０９，２１０，３０９，３１０，３２８）と、
前記入力信号（１０１，２０１，３０１）を受けるように構成された入力ポート（１０３，２０３，３０３）を備えた信号分配器（１０２，２０２，３０２）であって、前記信号経路（１０９，１１０，２０９，２１０，３０９，３１０，３２８）の入力側に連結され、前記入力信号（１０１，２０１，３０１）を、前記信号経路（１０９，１１０，２０９，２１０，３０９，３１０，３２８）に対する分配信号（１０７，１０８，２０７，２０８，３０７，３０８，３３５）に分配するように構成された信号分配器（１０２，２０２，３０２）と、
前記信号経路（１０９，１１０，２０９，２１０，３０９，３１０，３２８）の出力側に連結され、前記増幅信号（１１３，１１４，２１３，２１４，３１３，３１４，３３０）を合成して合成増幅信号（１１８，２１８，３１８）を提供するように構成されたダイプレクサ（１１５，２１５，３１５）とを備えた増幅器回路（１００，２００，３００）。
【請求項２】
各信号経路（１０９，１１０，２０９，２１０，３０９，３１０，３２８）は、当該信号経路（１０９，１１０，２０９，２１０，３０９，３１０，３２８）の前記周波数帯域（５５０，５５１，５５２）内の前記分配信号（１０７，１０８，２０７，２０８，３０７，３０８，３３５）を増幅するように構成された増幅器（１１１，１１２，２１１，２１２，３１１，３１２，３２９）を備えている請求項１記載の増幅器回路（１００，２００，３００）。
【請求項３】
前記ダイプレクサ（１１５，２１５，３１５）は、各信号経路（１０９，１１０，２０９，２１０，３０９，３１０，３２８）に対して第１周波数選択素子（１１６，１１７，２１６，２１７，３１６，３１７，３３１）を備えており、
各前記第１周波数選択素子（１１６，１１７，２１６，２１７，３１６，３１７，３３１）は、対応する前記信号経路（１０９，１１０，２０９，２１０，３０９，３１０，３２８）の前記周波数帯域（５５０，５５１，５５２）の信号を前記ダイプレクサ（１１５，２１５，３１５）の加え合わせ点（１２１）まで通過させるように構成されており、
前記ダイプレクサ（１１５，２１５，３１５）は、特に、非絶縁型ダイプレクサ（１１５，２１５，３１５）から構成されており、
前記第１周波数選択素子（１１６，１１７，２１６，２１７，３１６，３１７，３３１）は、重複する周波数範囲を備え、各第１周波数選択素子（１１６，１１７，２１６，２１７，３１６，３１７，３３１）のコーナー周波数は、その隣接する周波数帯域（５５０，５５１，５５２）に対する第１周波数選択素子（１１６，１１７，２１６，２１７，３１６，３１７，３３１）の伝送帯域内にある請求項１又は２記載の増幅器回路（１００，２００，３００）。
【請求項４】
前記信号経路（１０９，１１０，２０９，２１０，３０９，３１０，３２８）のうちのいくつかに対して振幅調整素子（１１９，２１９，３１９，３３２）を備え、
各前記振幅調整素子（１１９，２１９，３１９，３３２）は、対応する前記信号経路（１０９，１１０，２０９，２１０，３０９，３１０，３２８）に対する前記分配信号（１０７，１０８，２０７，２０８，３０７，３０８，３３５）の振幅を所定の倍率で調整するように構成されており、
特に、少なくとも１つの信号経路（１０９，１１０，２０９，２１０，３０９，３１０，３２８）は、振幅調整素子（１１９，２１９，３１９，３３２）を備えておらず、
好ましくは、前記振幅調整素子（１１９，２１９，３１９，３３２）のうちの少なくとも１つは、減衰抵抗器又は増幅器（１１１，１１２，２１１，２１２，３１１，３１２，３２９）を備えている請求項１記載の増幅器回路（１００，２００，３００）。
【請求項５】
前記信号分配器（１０２，２０２，３０２）は、各信号経路（１０９，１１０，２０９，２１０，３０９，３１０，３２８）に対して、信号入力部と当該信号経路（１０９，１１０，２０９，２１０，３０９，３１０，３２８）との間に連結された第１抵抗器（１０４，１０５）を備えた抵抗分配器から構成されており、
前記信号分配器（１０２，２０２，３０２）は、特に、前記入力ポート（１０３，２０３，３０３）と前記第１抵抗器（１０４，１０５）との間に連結された第２抵抗器（１０６）を備えている請求項１乃至４記載のいずれかの増幅器回路（１００，２００，３００）。
【請求項６】
前記振幅調整素子（１１９，２１９，３１９，３３２）のうちの少なくとも１つの前記減衰抵抗器は、対応する前記信号経路（１０９，１１０，２０９，２１０，３０９，３１０，３２８）に対する、前記信号分配器（１０２，２０２，３０２）の前記第１抵抗器（１０４，１０５）から構成されている請求項５記載の増幅器回路（１００，２００，３００）。
【請求項７】
前記信号分配器（１０２，２０２，３０２）は、各信号経路（１０９，１１０，２０９，２１０，３０９，３１０，３２８）に対して第２周波数選択素子（２２５，２２６，３２５，３２６，３２７）を備えており、
各前記第２周波数選択素子（２２５，２２６，３２５，３２６，３２７）は、対応する前記信号経路（１０９，１１０，２０９，２１０，３０９，３１０，３２８）の前記周波数帯域（５５０，５５１，５５２）の信号を当該信号経路（１０９，１１０，２０９，２１０，３０９，３１０，３２８）まで通過させるように構成されている請求項１乃至６記載のいずれかの増幅器回路（１００，２００，３００）。
【請求項８】
前記信号経路（１０９，１１０，２０９，２１０，３０９，３１０，３２８）のいくつかに対して位相シフタ（１２０，２２０，３２０，３３３）を備え、
各前記位相シフタ（１２０，２２０，３２０，３３３）は、対応する前記信号経路（１０９，１１０，２０９，２１０，３０９，３１０，３２８）に対する前記分配信号（１０７，１０８，２０７，２０８，３０７，３０８，３３５）の位相を所定の倍率で調整するように構成されており、
特に、１つの信号経路（１０９，１１０，２０９，２１０，３０９，３１０，３２８）は、位相シフタ（１２０，２２０，３２０，３３３）を備えていない請求項１乃至７記載のいずれかの増幅器回路（１００，２００，３００）。
【請求項９】
入力信号（１０１，２０１，３０１）を増幅する方法であって、
前記入力信号（１０１，２０１，３０１）を受けること（Ｓ１）と、
前記入力信号（１０１，２０１，３０１）を、少なくとも２つの信号経路（１０９，１１０，２０９，２１０，３０９，３１０，３２８）に対する分配信号（１０７，１０８，２０７，２０８，３０７，３０８，３３５）に分配すること（Ｓ２）と、
別々の重複する周波数帯域（５５０，５５１，５５２）を備えた前記信号経路（１０９，１１０，２０９，２１０，３０９，３１０，３２８）において前記分配信号（１０７，１０８，２０７，２０８，３０７，３０８，３３５）を増幅すること（Ｓ３）と、
前記増幅信号（１１３，１１４，２１３，２１４，３１３，３１４，３３０）を二重化して合成増幅信号（１１８，２１８，３１８）を提供すること（Ｓ４）とを含む方法。
【請求項１０】
各前記信号経路（１０９，１１０，２０９，２１０，３０９，３１０，３２８）において、当該信号経路（１０９，１１０，２０９，２１０，３０９，３１０，３２８）の前記周波数帯域（５５０，５５１，５５２）内の前記分配信号（１０７，１０８，２０７，２０８，３０７，３０８，３３５）を増幅することを含む請求項９記載の方法。
【請求項１１】
二重化は、各信号経路（１０９，１１０，２０９，２１０，３０９，３１０，３２８）について、当該信号経路（１０９，１１０，２０９，２１０，３０９，３１０，３２８）の前記周波数帯域（５５０，５５１，５５２）の信号を加え合わせ点（１２１）まで通過させることを含み、
二重化は、特に、非絶縁型ダイプレクサ（１１５，２１５，３１５）を用いて行われ、
それぞれの信号経路（１０９，１１０，２０９，２１０，３０９，３１０，３２８）の前記周波数帯域（５５０，５５１，５５２）の信号を通過させる際、重複する周波数範囲が用いられ、コーナー周波数は、その隣接する周波数帯域（５５０，５５１，５５２）の伝送帯域内にある請求項９又は１０記載の方法。
【請求項１２】
前記信号経路（１０９，１１０，２０９，２１０，３０９，３１０，３２８）のうちのいくつかに対する前記分配信号（１０７，１０８，２０７，２０８，３０７，３０８，３３５）の振幅を所定の倍率で調整することを含み、
特に、前記信号経路（１０９，１１０，２０９，２１０，３０９，３１０，３２８）のうちの少なくとも１つに対する前記分配信号（１０７，１０８，２０７，２０８，３０７，３０８，３３５）の振幅は調整せず、
好ましくは、調整は、減衰抵抗器又は増幅器（１１１，１１２，２１１，２１２，３１１，３１２，３２９）を用いて行われる請求項１１記載の方法。
【請求項１３】
分配は、各信号経路（１０９，１１０，２０９，２１０，３０９，３１０，３２８）に対して第１抵抗器（１０４，１０５）を備えた抵抗分配器を用いて行われ、
前記信号分配器（１０２，２０２，３０２）は、特に、その入力部と前記第１分配器（１０４，１０５）との間に連結された第２抵抗器（１０６）を備えている請求項９乃至１２記載の方法。
【請求項１４】
前記信号経路（１０９，１１０，２０９，２１０，３０９，３１０，３２８）のうちの少なくとも１つの振幅の調整は、当該信号経路（１０９，１１０，２０９，２１０，３０９，３１０，３２８）に対する、前記信号分配器（１０２，２０２，３０２）の前記第１抵抗器（１０４，１０５）を用いて行われる請求項１３記載の方法。
【請求項１５】
分配は、各信号経路（１０９，１１０，２０９，２１０，３０９，３１０，３２８）に対する第２周波数選択素子（２２５，２２６，３２５，３２６，３２７）を用いて行われ、
各前記第２周波数選択素子（２２５，２２６，３２５，３２６，３２７）は、対応する前記信号経路（１０９，１１０，２０９，２１０，３０９，３１０，３２８）の前記周波数帯域（５５０，５５１，５５２）の信号を当該信号経路（１０９，１１０，２０９，２１０，３０９，３１０，３２８）まで通過させる、及び／又は
前記信号経路（１０９，１１０，２０９，２１０，３０９，３１０，３２８）のいくつかについて、当該信号経路（１０９，１１０，２０９，２１０，３０９，３１０，３２８）に対する前記分配信号（１０７，１０８，２０７，２０８，３０７，３０８，３３５）の位相を所定の倍率で調整することを含み、
特に、前記信号経路（１０９，１１０，２０９，２１０，３０９，３１０，３２８）のうちの少なくとも１つに対する前記分配信号（１０７，１０８，２０７，２０８，３０７，３０８，３３５）の位相は調整しない請求項９乃至１４記載のいずれかの方法。
【発明の詳細な説明】
【技術分野】
【０００１】
本発明は、増幅器回路に関する。本発明は、さらに、対応する方法に関する。
【背景技術】
【０００２】
本発明及びその根底にある課題は、原則として、広帯域の信号増幅を必要とするいかなるシステムにも適用可能であるが、以下では、入力信号に対する瞬時帯域幅を備えた広帯域増幅器と組み合わせて説明する。
【０００３】
現代のエレクトロニクス応用では、データ伝送信号の周波数は、帯域幅要件の増加に伴って上昇し続けている。さらに、例えばワイヤレスセンサネットワークなどといったさらなる応用が出現しており、これらは、例えば２〜８ＧＨｚの範囲の周波数帯域を使用している。
【０００４】
したがって、特にこのような現代の応用のための装置の開発・適合性試験において、例えば数ＭＨｚから数ＧＨｚまで、例えば１０ＭＨｚから１０ＧＨｚまでといった高い帯域幅の信号に対処可能、例えば測定又は生成可能であることが必要である。
【０００５】
このような応用のための一般的な増幅器配置は、通常、周波数範囲が同じ複数の高帯域幅又は広帯域増幅器を備えている。個々の広帯域増幅器の信号を合成するために、通常、例えばウィルキンソン（Ｗｉｌｋｉｎｓｏｎ）型結合器、ｎ＊λ／４結合型又はブランチライン（Ｂｒａｎｃｈｌｉｎｅ）型結合器、ガネラ（Ｇｕａｎｅｌｌａ）型結合器、又はマーチャンド（Ｍａｒｃｈａｎｄ）型結合器といった合成器が用いられる。
【０００６】
しかしながら、これらの結合器は、帯域幅が制限されており、また、各々の広帯域増幅器全てが対象周波数帯域全体に対応していることを必要とする。さらに、全ての広帯域増幅器が等しい位相・振幅周波数応答で稼働しなければならない。
【０００７】
したがって、このような配置は複雑であり高コストである。
【０００８】
こういった背景に対して、本発明が取り組む課題は、瞬時帯域幅が大きい単純化された増幅器配置の提供である。
【発明の概要】
【課題を解決するための手段】
【０００９】
本発明は、請求項１の特徴を備えた増幅器回路及び請求項１１の特徴を備えた方法によってこの課題を解決する。
【００１０】
したがって、入力信号を増幅する増幅器回路であって、別々の重複する周波数帯域の信号を増幅するように構成された少なくとも２つの信号経路と、前記入力信号を受けるように構成された入力ポートを備えた信号分配器であって、前記信号経路の入力側に連結され、前記入力信号を、前記信号経路に対する分配信号に分配するように構成された信号分配器と、前記信号経路の出力側に連結され、前記増幅信号を合成して合成増幅信号を提供するように構成されたダイプレクサとを備えた増幅器回路を提供する。
【００１１】
さらに、入力信号を増幅する方法であって、前記入力信号を受けることと、前記入力信号を、少なくとも２つの信号経路に対する分配信号に分配することと、別々の重複する周波数帯域を備えた前記信号経路において前記分配信号を増幅することと、前記増幅信号を二重化して合成増幅信号を提供することとを含む方法を提供する。
【００１２】
本発明は、瞬時帯域幅が非常に大きい広帯域増幅器は製造が難しく複雑であるという調査結果に基づくものである。
【００１３】
したがって、本発明は、複数の同一の増幅器又は非常に大きい同じ帯域幅に対応している複数の増幅器を用いない増幅器回路を提供する。このような増幅器及び他の全ての増幅器では、常に、帯域幅と増幅力との間にトレードオフが存在する。したがって、増幅力が大きい高帯域幅増幅器を提供することは非常に複雑である。
【００１４】
したがって、本発明は、ハイパワーで別々の周波数範囲で機能し、個々の信号部分の増幅後に該信号を二重化する複数の増幅器を用いる。これは、１つの広帯域増幅器の場合と比較して、周波数帯域又は範囲が小さい増幅器を用いることができることも意味する。これにより、ハイパワー増幅の提供が簡単になる。
【００１５】
したがって、本発明は、増幅特性がそれぞれ異なる信号経路を提供する。信号分配器は、入力ポートを介して入力信号を受け、該入力信号を個々の信号経路に対する分配信号に分配する。
【００１６】
個々の信号経路は、その後、それぞれ異なるが重複する周波数帯域内の各々の分配信号を増幅することができる。３つ以上の信号経路が設けられる場合、「重複」は、第１の信号経路の周波数帯域が第２の信号経路の周波数帯域の一端と重複し、第３の信号経路の周波数帯域が第２の信号経路の周波数帯域の他端と重複することを指す。したがって、第２の信号経路の周波数帯域は、第１の信号経路と第３の信号経路の周波数帯域の間に存在する。信号経路が２つだけ設けられる場合、これら信号経路の周波数帯域は中心で重複することができる。周波数帯域間の重複は、例えば、約５０ＭＨｚから１ＧＨｚまでの所定の重複、例えば、１００ＭＨｚ、２００ＭＨｚ、３００ＭＨｚ又は４００ＭＨｚとすることができる。
【００１７】
個々の信号経路の出力、即ち、増幅分配信号は、その後、ダイプレクサに供給される。ダイプレクサは、個々の増幅分配信号を合成して１つの出力信号、即ち、合成増幅信号とすることになる。
【００１８】
ダイプレクサは、例えば、一種の周波数多重化を行う受動装置とすることができる。ダイプレクサは、入力ポートを出力ポートに向けて、即ち、増幅分配信号を合成増幅信号に向けて多重化する。合成器とは異なり、一般的なダイプレクサの入力ポートにおける信号は、非同一周波数帯域を占めている。しかしながら、本発明のダイプレクサは、増幅分配信号、例えば、周波数帯域がそれぞれ異なるが重複している信号を多重化するように配置される。これは、該ダイプレクサは、重複する周波数領域においてのみ合成器のように機能することを意味する。したがって、増幅分配信号は、重複する周波数領域は別として、出力ポートにおいて、互いに干渉することなく共存する。
【００１９】
２つの信号経路及び対応するダイプレクサに対する例示的な周波数帯域は、例えば、低周波数帯域、例えば２０ＭＨｚ〜１．６ＧＨｚ、及び高周波数帯域、例えば、１．２ＧＨｚ〜８ＧＨｚから構成することができる。本例における周波数帯域は、１．２ＧＨｚから１．６ＧＨｚの４００ＭＨｚの範囲で重複していることが分かる。これは、ダイプレクサは、１．２ＧＨｚから１．６ＧＨｚの周波数範囲で合成器のように機能し、二重化されて合成された増幅分配信号を出力することになることを意味する。
【００２０】
ダイプレクサは、２つ以上の入力ポートを備えることができることが理解される。３つ以上の入力ポート備えたダイプレクサは、トリプレクサ、クワッドプレクサ、クワドロプレクサなどと呼ぶこともできる。
【００２１】
本発明では、複数の特定の周波数帯域に対してそれぞれ１つとして複数の増幅器を備えた広帯域増幅器回路を提供することが可能である。各々の増幅器は、当該広帯域増幅器回路の周波数範囲全体に対応している必要はなく、例えば、利得／電力や利得帯域幅積について個別に最適化することができる。さらに、帯域幅が制限された多数の増幅器は、全周波数範囲に対して１つの広帯域増幅器の場合と比較して、製造がより単純で簡単である。
【００２２】
したがって、増幅器回路の周波数・電力性能は、ダイプレクサの構成要素選択及び設計によってのみ限定される。
【００２３】
本発明のさらなる実施形態については、本願のさらなる副請求項に挙げており、以下の説明において図面を参照しながら説明する。
【００２４】
可能な実施形態では、各信号経路は、当該信号経路の周波数帯域内の分配信号を増幅する増幅器を備えることができる。
【００２５】
この増幅器は、例えば、１０Ｗから１０００Ｗまでのパワー範囲のハイパワー増幅器、例えば５０Ｗ増幅器、１００Ｗ増幅器、２００Ｗ増幅器などとすることができる。上記で既に説明したように、同時に大きな帯域幅を備えるハイパワー増幅器を提供するのは難しい。
【００２６】
しかしながら、本発明では、同時にハイパワー出力を提供する、帯域幅が比較的小さい増幅器を用いることができる。信号経路における増幅器は、それぞれ、各々の周波数帯域内の信号を増幅するように適合させるだけでよく、よって、出力パワーに重点を置くことができる。
【００２７】
さらに、各増幅器の各々の周波数帯域より上及び下の信号範囲における挙動は、これらの信号はダイプレクサにより除去されることになるため無関係である。
【００２８】
個々の増幅器は、一実施形態においては、線形増幅器とすることができる。
【００２９】
可能な実施形態では、ダイプレクサは、各信号経路に対して第１周波数選択素子を備えることができ、該第１周波数選択素子は、対応する信号経路の周波数帯域の信号をダイプレクサの加え合わせ点まで通過させるように構成することができる。
【００３０】
第１周波数選択素子は、例えば、ハイパスフィルタやローパスフィルタ、バンドパスフィルタから構成することができる。上記で説明したように、個々の信号経路は、それぞれ異なる周波数帯域又は範囲内の信号に作用する、即ち、増幅する。
【００３１】
第１周波数選択素子は、対応する周波数範囲に適合させる。これは、第１周波数選択素子は、少なくとも対応する信号経路の周波数帯域を備えた伝送帯域を有することになることを意味する。
【００３２】
例えば、信号経路が２０ＭＨｚから１．６ＧＨｚまでの周波数帯域内の信号を増幅する場合、対応する第１周波数選択素子は、少なくとも２０ＭＨｚから１．６ＧＨｚまでの伝送帯域を備えることになる。
【００３３】
したがって、上記の、２０ＭＨｚから１．６ＧＨｚまで及び１．２ＧＨｚから８ＧＨｚまでの周波数帯域を備えた２つの信号経路の例に対する第１周波数選択素子であれば、少なくとも２０ＭＨｚから１．６ＧＨｚまで及び１．２ＧＨｚから８ＧＨｚまでの伝送帯域を備える。信号経路が２つだけであれば、２０ＭＨｚから１．６ＧＨｚまでの伝送帯域の周波数下限は２０ＭＨｚ未満であってもよい。１．２ＧＨｚから８ＧＨｚまでの伝送帯域の周波数上限についても同様である。上限周波数は、例えば、８ＧＨｚ超であってもよい。それぞれの周波数帯域外の周波数の信号成分は、いかなる場合も、信号経路からダイプレクサに供給されることはない。
【００３４】
第１周波数選択素子の個々の素子の正確な寸法は、例えば、回路トポロジーを決めた後に算出する、又は、そのトポロジーのシミュレーションによって決定することができる。
【００３５】
可能な実施形態では、ダイプレクサは、非絶縁型ダイプレクサから構成することができ、第１周波数選択素子は、重複する周波数範囲を備えることができ、各第１周波数選択素子のコーナー周波数は、その隣接する周波数帯域に対する第１周波数選択素子の伝送帯域内に存在している。
【００３６】
絶縁型ダイプレクサは、例えば、個々の信号入力部間に抵抗素子を備えることができ、該抵抗素子は、少なくとも特定の周波数範囲におけるエネルギーを獲得する又は消費する。これは、少なくとも特定の周波数範囲におけるエネルギーは、一方の入力部から他方の入力部に伝達されない、又は少なくとも減衰されることを意味する。
【００３７】
非絶縁型ダイプレクサでは、個々の第１周波数選択素子は抵抗素子を備えていない。このような第１周波数選択素子は、例えば、キャパシタやインダクタだけで構成することができる。このような非絶縁型ダイプレクサでは、第１周波数選択素子の重複する周波数範囲又は帯域における信号は、ダイプレクサの一入力部から、加え合わせ点、即ち、出力部を介して別の入力部へ伝達され得る。これによって、重複する周波数帯域におけるダイプレクサの合成器のような挙動が確実となるとともに、両信号経路からの重複する周波数帯域内の信号が加え合わせ点へ伝達される。
【００３８】
対応する周波数範囲及び必要な最大増幅力に応じて、様々な技術を用いて非絶縁型ダイプレクサを製造することができることが理解される。第１周波数選択素子の回路素子は、例えば、集中定数素子とも呼ばれる個別素子として、又は、分布定数素子、例えば、ＰＣＢ上の導電性領域のトレースによって形成されたキャパシタ又はインダクタとして設けることができる。
【００３９】
可能な実施形態では、増幅器回路は、信号経路のうちのいくつか、即ち、１つ以上に対して振幅調整素子を備えることができ、１つの信号経路は、振幅調整素子を備えなくてもよい。各振幅調整素子は、対応する信号経路に対する分配信号の振幅を所定の倍率で調整するように構成することができる。
【００４０】
振幅調整素子を備えていない信号経路は、ベース振幅を定義する一種の基準信号経路として考えることができる。ベース振幅とは、重複する周波数帯域内の信号の、ダイプレクサの加え合わせ点又は出力部での振幅を指す。
【００４１】
振幅調整素子を備えていない信号経路は、例えば、最も低い周波数帯域に対する信号経路とすることができる。重複する周波数帯域では、この信号経路の増幅分配信号とすぐ上の周波数帯域に対する信号経路の増幅分配信号とが混合されることになる。これらの信号の振幅が同一でない場合、信号振幅が小さい方の信号経路は、振幅が大きい方の信号経路の信号部分による負荷変調を受けることになる。このような負荷変調を避けるために、両信号経路の振幅を、例えば各々の信号経路の増幅器によって、入力された分配信号を増幅前に調整することによって等しくすることができる。
【００４２】
増幅器は、それぞれ異なる増幅特性を備えることができることが理解される。基準信号経路における増幅器は、例えば、１０ｍＷの入力パワーで１００Ｗの出力パワーを提供することができる。その隣の信号経路の増幅器は、例えば、２０ｍＷの入力パワーで１００Ｗの出力パワーを提供することができる（「隣」とは、隣の周波数帯域に対する信号経路を指す）。この場合、該隣の信号経路の振幅調整素子の倍率は、例えば、２とすることができる。これは、該振幅調整素子は、その分配信号の信号レベルに２を掛けることになることを意味する。このような振幅調整素子は、例えば、２という低増幅の増幅器とすることができる。
【００４３】
一方、他方の信号経路が、基準信号経路と同じ出力パワーを提供するためにより低い信号レベルを必要とする場合、その分配信号の減衰を行うことができる。例えば、基準信号経路の増幅器が２０ｍＷの入力パワーで１００Ｗの出力パワーを提供し、その隣の信号経路の増幅器が１０ｍＷの入力パワーで１００Ｗの出力パワーを提供する場合、該隣の信号経路について、その振幅調整素子は、入力された分配信号を１／２に減衰することができる。このような振幅調整素子は、例えば、分圧器から構成することができる。
【００４４】
３つ以上の信号経路が設けられる場合、前記基準信号経路は、同様に第２の又は隣の信号経路の基準であることが理解される。このとき、該第２の信号経路が第３の信号経路の基準信号経路となり、以降同様である。
【００４５】
可能な実施形態では、振幅調整素子のうちの少なくとも１つは、減衰抵抗器又は増幅器を備えることができる。
【００４６】
各振幅調整素子は、対応する信号経路に対する分配信号を増幅しなければならないか減衰しなければならないかに応じて、抵抗器又は増幅器を備えることができる。減衰抵抗器は、基準信号経路の分配信号の信号レベルに対して他の信号経路における分配信号レベルを低下させなければならないいかなる場合にも用いることができる。
【００４７】
増幅器は、通常、高い増幅倍率を必要としないことが理解される。上記の例では、増幅倍率は２となっている。他の増幅倍率、例えば１から１０の倍率が可能であることが理解される。分配信号のような低いレベルの信号に対する最大１０までの低い増幅倍率を備えた増幅器は、増幅器回路に容易に一体化させることができる非常に単純な素子である。さらに、上記で説明したように、増幅と帯域幅との間にはトレードオフが存在する。したがって、低い増幅倍率であれば、高い帯域幅を増幅することができる。
【００４８】
振幅調整素子は、設定変更可能、又は少なくとも調整可能であることが理解される。振幅調整素子は、例えば、当該増幅器回路の生産時、例えば線路試験の最終段階又はキャリブレーション工程で調整又は設定することができる。抵抗器を用いる場合には、ポテンショメータのような調整可能な抵抗器を用いることができる。或いは、例えば抵抗ペースト又は銅トレースの抵抗トラックを、例えばレーザー切断によって該トラックのサイズを調整することによって調整することができる。
【００４９】
振幅調整素子において増幅器を用いる場合、該増幅器を、例えば電圧制御することができ、各増幅器の制御電圧は、その製造工程で調整することができる。
【００５０】
振幅調整素子の設定は、一度決定した後、当該増幅器回路の寿命にわたって固定することができることが理解される。しかしながら、振幅調整素子に対して、信号経路及びダイプレクサにおける摩耗影響及び劣化影響を考慮した制御を実施することができることも理解される。
【００５１】
可能な実施形態では、信号分配器は、各信号経路に対して、信号入力部と該信号経路との間に連結された第１抵抗器を備えた抵抗分配器から構成することができ、該信号分配器は、特に、入力ポートと第１抵抗器との間に連結された第２抵抗器を備えることができる。
【００５２】
抵抗型の信号分配器は、非常に単純な種類の分配器である。２つの信号経路を備えた増幅器回路の場合、分配器には抵抗器を２つ又は３つだけ設けることができる。第２抵抗器は、例えば、入力ポートと分配点との間に設けることができる。このとき、第１抵抗器は、分配点と対応する信号経路との間に連結することができる。
【００５３】
抵抗型の信号分配器は、製造が簡単なだけではない。このような抵抗型の信号分配器は、さらに、非常に大きな伝送帯域又は範囲を備えることができる。理論上、伝送帯域又は範囲は制限されない。しかしながら、実際の適用では、伝送帯域又は範囲は、寄生容量や寄生インダクタンスによって制限されることになる。この種の分配器には、集中定数又は分布定数素子、或いは両方を組み合わせたものを設けることもできることが理解される。
【００５４】
抵抗分配器は、個々の信号経路に対して等しい分配信号を提供することができる。このような抵抗分配器は、出力部における２つの電圧が等しい一種の分圧器として考えることができる。
【００５５】
可能な実施形態では、振幅調整素子のうちの少なくとも１つの減衰抵抗器を、対応する信号経路に対する信号分配器の第１抵抗器から構成することができる。
【００５６】
上記で説明したように、信号分配器は、個々の信号経路に対して等しい信号を提供することができる。しかしながら、基準信号経路がダイプレクサの加え合わせ点における信号レベルが最も低い信号経路である場合、その他の信号経路の信号レベルを減衰させるだけでよい。これは、好ましくは、非常に単純な電子素子である抵抗器によって行うことができる。
【００５７】
さらに、振幅調整素子の抵抗器と、対応する信号経路に対する信号分配器の第１抵抗器とを組み合わせることが可能である。それぞれの信号経路に対する信号分配器の出力信号レベルは、例えば、必要に応じて調節することができる。
【００５８】
上記に挙げた例では、例えば第２の信号経路に対する信号分配器の出力部における信号レベルは、基準信号経路に対する出力部の信号レベルの半分とすることができる。したがって、信号分配器の出力レベルは、２：１の関係を備えることができる。これらの値は例示的な値にすぎないこと、及びそれぞれの適用において必要に応じて他の値を与えることができることが理解される。
【００５９】
可能な実施形態では、信号分配器は、各信号経路に対して第２周波数選択素子を備えることができ、該第２周波数選択素子は、対応する信号経路の周波数帯域の信号を該信号経路まで通過させるように構成することができる。
【００６０】
抵抗分配器の代わりに、個々の信号経路に対して、該信号経路の周波数帯域内の信号部分のみを供給する周波数選択性の分配器を設けてもよい。
【００６１】
各第２周波数選択素子は、対応する信号経路に対する第１周波数選択素子と同じとすることができることが理解される。各第２周波数選択素子は、例えば、配置を反転させた、即ち、出力部が入力部となり、入力部が出力部となった第１周波数選択素子とすることができる。しかしながら、第１周波数選択素子の方が小さいパワー値に対する寸法となるようにすることもできることも理解される。上記で既に説明したように、入力側、即ち、入力ポートのパワーレベルは、ミリワットの範囲とすることができ、一方、出力側のパワーレベルは、数百ワットの範囲とすることができる。しかしながら、各第２周波数選択素子のトポロジー及び個々の電子素子、例えば、キャパシタやインダクタンスの値は、対応する第１周波数選択素子のものと同じとすることができる。
【００６２】
可能な実施形態では、増幅器回路は、信号経路のうちのいくつか、即ち、１つ以上に対して位相シフタを備えることができ、信号経路のうちの１つは、位相シフタを備えなくてもよい。位相シフタは、対応する信号経路に対する分配信号の位相を所定の倍率で調整するように構成することができる。
【００６３】
位相シフタを備えない信号経路は、振幅調整素子を備えない信号経路と同じとすることができる。したがって、この信号経路は、加え合わせ点における信号の位相についての基準信号経路としての役割も果たす。
【００６４】
重複する周波数帯域又は範囲を備えている２つの信号経路の信号の位相が一致しない場合、必要に応じて信号レベルを加え合わせなくてもよい。位相シフトに応じて、信号同士が、例えば、部分的に打ち消し合ったり、或いは互いを完全に打ち消したりすることさえある。これは、１８０°の位相シフトを伴う場合である。さらに、振幅が異なる場合のように、位相シフトがある場合、瞬間的に信号レベルが低くなる信号経路が負荷変調を受けることがある。
【００６５】
したがって、増幅器回路は、必要な場合に信号経路の位相を調整する位相シフタを備えている。この場合も、基準信号経路は、基準、この場合は基準位相を提供する。位相シフタを、振幅調整素子として、対応する信号経路の増幅器の手前に設けることができる。これは、位相シフタを高パワー信号に適合させる必要がないことを意味する。
【００６６】
個々の信号経路における何らかの素子により、分配信号に対して一定の位相シフトがもたらされることがある。これは、加え合わせ点において、振幅調整を行った増幅分配信号であっても、重複する周波数帯域内の基準振幅とは異なる瞬間振幅を備えることがあること意味する。
【００６７】
位相シフタを備える場合、この振幅の違いを、加え合わせ点における重複する周波数帯内の信号が同じ位相を備えるように相殺することができる。
【００６８】
位相シフタは、例えば、設定変更可能な遅延線とすることができる。信号を遅延させた場合、該信号は、対応する信号経路の増幅器に遅れて到達することになる。これにより、基準信号経路を基準とした位相シフトが引き起こされることになる。遅延線の長さは、その信号線を基板上に設けて該信号線のある特定の部位を切断することにより変更することができる。必要な遅延、つまりは遅延線の長さは、重複する周波数帯域の周波数によって決まることが理解される。この遅延線は一例にすぎず、他の遅延素子も可能である。位相シフタは、例えば、当該増幅器回路の生産時、例えば線路試験の最終段階又はキャリブレーション工程で調整又は設定することができる。
【００６９】
位相シフトは、それぞれ異なる信号経路からの信号が重複して混合される重複する周波数帯域においてのみ必要であることが理解される。
【００７０】
振幅調整素子を備える場合のように、位相シフタの設定は、一度決定した後、当該増幅器回路の寿命にわたって固定することができることが理解される。しかしながら、位相シフタ素子に対して、信号経路及びダイプレクサにおける摩耗影響及び劣化影響を考慮した制御を実施することができることも理解される。
【図面の簡単な説明】
【００７１】
本発明及びその利点をより完全に理解するために、ここで、添付の図面と併せた以下の説明を参照する。以下では、添付の図面の概略図に特定された例示的な実施形態を用いて本発明をより詳細に説明している。
【００７２】
【図１】本発明にかかる増幅器回路の実施形態のブロック図である。
【図２】本発明にかかる増幅器回路の別の実施形態のブロック図である。
【図３】本発明にかかる増幅器回路の別の実施形態のブロック図である。
【図４】本発明にかかる方法の実施形態のフロー図である。
【図５】本発明にかかる増幅器回路の実施形態の可能な周波数応答曲線を含む図である。
【００７３】
添付図面は、本発明の実施形態のさらなる理解をもたらすことを意図したものである。これらの図は、実施形態を図示しており、以下の説明と協働して、本発明の原理及び概念の説明の助けとなるものである。他の実施形態及び言及する利点の多くは、図面を見れば容易に理解できる。図面の各要素は必ずしも同じ縮尺で示されていない。
【００７４】
図面において、機能的に同等であり、同じように動作する同様の要素、特徴及び構成物は、特に明記されていない限り、いずれの場合も同様の参照符号が付与されている。
【発明を実施するための形態】
【００７５】
図１は、増幅器回路１００のブロック図を示している。増幅器回路１００は、入力信号１０１を受けるための入力ポート１０３を備えた信号分配器１０２を備えている。信号分配器１０２は、２つの信号経路１０９，１１０に連結されている。２つの信号経路１０９，１１０は、合成増幅信号１１８出力するダイプレクサ１１５に連結されている。
【００７６】
信号分配器１０２は、一方のポートにおいて入力ポート１０３に連結された第２抵抗器１０６を備えている。第２抵抗器１０６の他方のポートと信号経路１０９の入力部との間に第１抵抗器１０４が連結されている。第２抵抗器１０６他方のポートと信号経路１１０の入力部との間にもう一つの第１抵抗器１０５が連結されている。第２抵抗器１０６は任意とすることができ、いくつかの実施形態では省略してもよい。さらに、例えば、第１抵抗器１０４，１０５を等価の抵抗器として、２つの信号経路１０９，１１０に等しい分配信号１０７，１０８を供給することができる。しかしながら、以下に説明するが、第１抵抗器１０４，１０５は、それぞれ異なる抵抗値を備えていてもよい。
【００７７】
信号経路１０９では、分配信号１０７が増幅器１１１に供給され、該増幅器１１１は、分配信号１０７を増幅して増幅信号１１３を供給する。信号経路１１０では、同様に分配信号１０８が増幅器１１２に供給され、該増幅器１１２は、増幅信号１１４を供給する。しかしながら、信号経路１１０では、増幅器１１２の手前の信号線に、任意の振幅調整素子１１９及び任意の位相シフタ１２０が設けられている。
【００７８】
ダイプレクサ１１５には、２つの第１周波数選択素子１１６，１１７が設けられている。上側の第１周波数選択素子１１６は、明確にするために個別に示してはいないが、２つの直列インダクタンスと、該２つのインダクタンスの結合又は接続点と地面との間に接続されたキャパシタとの例示的な配置を備えている。上側の第１周波数選択素子１１６の入力部は、増幅器１１１の出力部に接続されており、増幅信号１１３を受ける。上側の第１周波数選択素子１１６の出力部は、加え合わせ点１２１に接続されている。
【００７９】
下側の第１周波数選択素子１１７は、３つの直列キャパシタを備えており、第１のキャパシタと第２のキャパシタの第１の結合又は接続点と地面との間にインダクタが連結され、第２のキャパシタと第３のキャパシタの第２の結合又は接続点と地面との間にインダクタが連結されている。下側の第１周波数選択素子１１７の入力部は、増幅器１１２に連結されており、増幅信号１１４を受ける。下側の第１周波数選択素子１１７の出力部は、加え合わせ点１２１に連結されている。
【００８０】
増幅器回路１００の動作時、信号分配器１０２は、入力ポート１０３を介して入力信号１０１を受ける。信号分配器１０２、即ち、第１抵抗器１０４，１０５及び第２抵抗器１０６は、入力信号１０１を分配信号１０７，１０８に分配する。
【００８１】
信号経路１０９において、増幅器１１１によって分配信号１０７が増幅される。信号経路１１０において、増幅器１１２によって分配信号１０８が増幅される。しかしながら、信号経路１１０では、振幅調整素子１１９によって分配信号１０８の振幅を適合させることができる。さらに、位相シフタ１２０によって分配信号１０８の位相を適合させることができる。増幅器１１２の出力振幅及び出力位相が増幅器１１１のものと合致している場合は、振幅調整素子１１９及び位相シフタ１２０を省略してもよいことが理解される。さらに、振幅調整素子１１９及び位相シフタ１２０は増幅器１１２の後方に設けてもよいことが理解される。振幅調整素子１１９は、第１抵抗器１０５に一体化させることもできる。この場合、第１抵抗器１０４，１０５は、それぞれ異なる値を有する。
【００８２】
増幅信号１１３，１１４は、その後、ダイプレクサ１１５、即ち、上側の第１周波数選択素子１１６及び下側の第１周波数選択素子１１７に供給される。
【００８３】
上側の第１周波数選択素子１１６はローパスフィルタであること、及び下側の第１周波数選択素子１１７はハイパスフィルタであることが分かる。上側の第１周波数素子１１６及び下側の第１周波数素子１１７は、対応する増幅器１１１，１１２によって増幅される周波数帯域に応じて適合させている。これは、それぞれのフィルタが通過させる通過帯域又は周波数範囲は、少なくとも、対応する信号経路１０９，１１０の周波数帯域と同じ大きさであることを意味する。さらに、周波数帯域が重複する中央部分では、上側の第１周波数選択素子１１６と下側の第１周波数選択素子１１７の通過帯域が重複している。
【００８４】
したがって、加え合わせ点１２１では、増幅信号１１３と増幅信号１１４の両方の信号が存在することになる。
【００８５】
振幅調整素子１１９は及び位相フィルタ１２０は、増幅信号１１４が、少なくとも重複する周波数帯域において、振幅及び位相の点で増幅信号１１３と合致するように一度設定することができる。例えば、増幅器回路１００の生産時にこのような設定を行うことができる。
【００８６】
図２は、増幅器回路２００のブロック図を示している。増幅器回路２００は、増幅器回路１００を基にしたものである。したがって、増幅器回路２００も、入力信号２０１を受けるための入力ポート２０３を備えた信号分配器２０２を備えている。信号分配器２０２は、信号経路２０９及び信号経路２１０に連結されている。両信号経路２０９，２１０は、ダイプレクサ２１５に連結されている。
【００８７】
増幅器回路１００と異なり、増幅器回路２００では、信号分配器２０２は、第１及び第２抵抗器１０４，１０５，１０６ではなく、第２周波数選択素子２２５，２２６を備えている。
【００８８】
第２周波数選択素子２２５，２２６は、上側の第１周波数選択素子２１６及び下側の第１周波数選択素子２１７に対応するハイパスフィルタ及びローパスフィルタから構成することができる。
【００８９】
上側の第２周波数選択素子２２５は、上側の第１周波数選択素子２１６と同じ設定を備えることができることが理解される。下側の第２周波数選択素子２２６は、下側の第１周波数選択素子２１７と同じ設定を備えることができる。
【００９０】
これに関して、同じ設定とは、第２周波数選択素子２２６が同じ周波数応答を備えることを指す。これは、上側の第１周波数選択素子２１６と同じ電子素子及び素子値を備えた同じトポロジーを用いることができることを意味する。しかしながら、入力信号２０１の信号パワーは増幅信号２１３，２１４の信号パワーより低いため、素子の電流容量又はパワー定格は減少させてもよいことが理解される。
【００９１】
図示していないが、例えばノッチフィルタのような周波数選択素子を信号経路２０９の増幅器２１１の手前又は後方に挿入してもよいことが理解される。
【００９２】
図３は、増幅器回路３００のブロック図を示している。増幅器回路３００は、増幅器回路２００を基にしたものである。したがって、増幅器３００も、入力信号３０１を受けるための入力ポート３０３を備えた信号分配器３０２を備えている。信号分配器３０２は、信号経路３０９及び信号経路３１０に連結されている。両信号経路３０９，３１０は、ダイプレクサ３１５に連結されている。
【００９３】
しかしながら、増幅器回路２００と異なり、増幅器回路３００は、追加の信号経路３２８を備えており、さらに可能な信号経路を３つの点で示唆している。
【００９４】
信号経路３２８は、さらに、信号分配器３０２においてさらなる第２周波数選択素子３２７、ダイプレクサ３１５においてさらなる第１周波数選択素子３３１を伴っている。
【００９５】
信号経路３２８も、増幅信号３３０を第１周波数選択素子３３１に供給する増幅器３２９の手前に、振幅調整素子３３２及び位相シフタ３３３３を備えている。
【００９６】
増幅器回路３００では、信号経路３０９と信号経路３２８の周波数帯域が重複し、信号経路３２８と信号経路３１０の周波数帯域が重複することができる。
【００９７】
追加の信号経路が設けられる場合、いかなる場合も、信号経路のうちの２つの周波数帯域が重複することになることが理解される。したがって、中間の信号経路は、下端において別の信号経路の周波数帯域と重複し、上端において別の信号経路の周波数帯域と重複する周波数帯域を有することができる。
【００９８】
増幅器回路１００の場合と同様に、振幅調整素子及び位相シフタは、増幅器回路２００及び増幅器回路３００においても任意とする、又は必要に応じて設けることができることが理解される。
【００９９】
明確にするために、以下の図４を基にした方法の説明において、上記の図１乃至図３を基にした装置の説明において用いた参照符号は維持される。図５の説明についても同様である。
【０１００】
図４は、入力信号１０１，２０１，３０１を増幅する方法のフロー図を示している。
【０１０１】
この方法は、入力信号１０１，２０１，３０１を受けることＳ１と、入力信号１０１，２０１，３０１を、少なくとも２つの信号経路１０９，１１０，２０９，２１０，３０９，３１０，３２８に対する分配信号１０７，１０８，２０７，２０８，３０７，３０８，３３５に分配することＳ２と、別々の重複する周波数帯域５５０，５５１，５５２を備えた信号経路１０９，１１０，２０９，２１０，３０９，３１０，３２８において分配信号１０７，１０８，２０７，２０８，３０７，３０８，３３５を増幅することＳ３と、増幅信号１１３，１１４，２１３，２１４，３１３，３１４，３３０を二重化して合成増幅信号１１８，２１８，３１８を提供することＳ４を含む。
【０１０２】
この方法は、さらに、信号経路１０９，１１０，２０９，２１０，３０９，３１０，３２８において、当該信号経路１０９，１１０，２０９，２１０，３０９，３１０，３２８の周波数帯域５５０，５５１，５５２内の分配信号１０７，１０８，２０７，２０８，３０７，３０８，３３５を増幅する、即ち、分配信号１０７，１０８，２０７，２０８，３０７，３０８，３３５を信号経路１０９，１１０，２０９，２１０，３０９，３１０，３２８において個別に増幅することを含むことができる。
【０１０３】
二重化することＳ４は、各信号経路１０９，１１０，２０９，２１０，３０９，３１０，３２８について、当該信号経路１０９，１１０，２０９，２１０，３０９，３１０，３２８の周波数帯域５５０，５５１，５５２の信号を加え合わせ点１２１まで通過させることを含むことができる。
【０１０４】
二重化することＳ４は、例えば、非絶縁型ダイプレクサ１１５，２１５，３１５を用いて行うことができる。それぞれの信号経路１０９，１１０，２０９，２１０，３０９，３１０，３２８の周波数帯域５５０，５５１，５５２の信号を通過させる際、重複する周波数範囲を用いることができ、このとき、コーナー周波数は、その隣接する周波数帯域５５０，５５１，５５２の伝送帯域内にある。
【０１０５】
この方法は、さらに、信号経路１０９，１１０，２０９，２１０，３０９，３１０，３２８のうちのいくつかに対する分配信号１０７，１０８，２０７，２０８，３０７，３０８，３３５の振幅を所定の倍率で調整することを含むことができる。信号経路１０９，１１０，２０９，２１０，３０９，３１０，３２８のうちの少なくとも１つ、例えば選択された基準信号経路１０９，１１０，２０９，２１０，３０９，３１０，３２８に対する分配信号１０７，１０８，２０７，２０８，３０７，３０８，３３５の振幅は、必ずしも調整する必要はない。
【０１０６】
減衰抵抗器又は増幅器１１１，１１２，２１１，２１２，３１１，３１２，３２９を用いて調整を行うことができる。分配することＳ２は、各信号経路１０９，１１０，２０９，２１０，３０９，３１０，３２８に対して第１抵抗器１０４，１０５を備えた抵抗分配器を用いて行うことができる。信号分配器１０２，２０２，３０２は、さらに、その入力部と第１抵抗器１０４，１０５との間に連結された第２抵抗器１０６を備えることができる。
【０１０７】
このとき、信号経路１０９，１１０，２０９，２１０，３０９，３１０，３２８のうちの少なくとも１つの振幅を調整することは、当該信号経路１０９，１１０，２０９，２１０，３０９，３１０，３２８に対する、信号分配器１０２，２０２，３０２の第１抵抗器１０４，１０５を用いて行うことができる。
【０１０８】
或いは、分配することＳ２は、各信号経路１０９，１１０，２０９，２１０，３０９，３１０，３２８に対する第２周波数選択素子２２５，２２６，３２５，３２６，３２７を用いて行うことができる。第２周波数選択素子２２５，２２６，３２５，３２６，３２７は、対応する信号経路１０９，１１０，２０９，２１０，３０９，３１０，３２８の周波数帯域５５０，５５１，５５２の信号を当該信号経路１０９，１１０，２０９，２１０，３０９，３１０，３２８まで通過させることができる。
【０１０９】
この方法は、さらに、信号経路１０９，１１０，２０９，２１０，３０９，３１０，３２８のうちのいくつかについて、当該信号経路１０９，１１０，２０９，２１０，３０９，３１０，３２８に対する分配信号１０７，１０８，２０７，２０８，３０７，３０８，３３５の位相を所定の倍率で調整することを含むことができる。このとき、信号経路１０９，１１０，２０９，２１０，３０９，３１０，３２８うちの少なくとも１つに対する分配信号１０７，１０８，２０７，２０８，３０７，３０８，３３５の位相は、必ずしも調整する必要はない。
【０１１０】
図５は、増幅器回路１００，２００の可能な周波数応答曲線を含む図を示している。増幅器回路３００の可能な周波数応答曲線は３つ以上の周波数帯域を備えるが、これについても以下に説明する基本原理が当てはまることが理解される。
【０１１１】
図５の図は、上側部分と下側部分に分かれている。上側部分は、２つ信号経路１０９，１１０，２０９，２１０を備えた増幅器回路１００，２００の周波数に対する出力パワーを示している。下側部分は、増幅器回路１００，２００の複合出力周波数帯域を示している。
【０１１２】
図の上側部分では、２つの周波数帯域５５０，５５１が示されている。これら２つの周波数帯域５５０，５５１は、２つの信号経路１０９，１１０，２０９，２１０の２つの重複する周波数帯域５５０，５５１を表している。
【０１１３】
上記で既に説明したように、周波数帯域５５０，５５１の立ち下がりエッジは、各々、他方の周波数帯域５５０，５５１の通過帯域領域内に存在することが分かる。
【０１１４】
図の下側部分には、複合又は出力周波数帯域５５２が示されている。出力周波数帯域５５２は、周波数帯域５５０の（周波数に関する）低方部分と、周波数帯域５５１の（周波数に関する）高方部分とを備えていることが分かる。重複する領域には、小さな信号オーバーシュートが存在している。
【０１１５】
本明細書では具体的な実施形態を図示・説明したが、当業者には、多種多様な代替的且つ／又は同等の実施物が存在することが認識されるであろう。上記の例示的な実施形態は、例にすぎず、決して、範囲、利用可能性又は構造を限定するよう意図されたものでないことが認識されるべきである。むしろ、上記概要及び詳細な説明は、当業者に対して、少なくとも１つの例示的な実施形態を実施するための便利なロードマップを提供するものであり、添付の特許請求の範囲及びその法的同等物に記載されるような範囲を逸脱することなく、例示的な実施形態で説明した要素の機能及び配置において様々な変更を加えることができることが理解される。全体として、本願は、本明細書で論じた具体的な実施形態のあらゆる適合形態又は変化形態を包括するように意図されている。
【０１１６】
上記の詳細な説明では、開示の効率化を目的として、１つ又は複数の例において様々な特徴をグループ化している。上記の記述は、説明することを意図されたものであり、制限することを意図されたものではないことが理解される。本発明の範囲に含まれ得る全ての代替物、変形物及び同等物を包括することが意図されている。当業者には、上記明細書を精査することにより、多くの他の例が明らかになるであろう。
【０１１７】
上記明細書で用いた具体的な術語は、本発明の完全な理解を提供するために用いたものである。しかしながら、当業者には、本明細書を踏まえると、具体的詳細は本発明を実行するために必要でないことが明らかになるであろう。かくして、上記の本発明の具体的な実施形態についての記述は、説明を目的として提示したものである。該記述は、全てを網羅すること、又は本発明を開示した形態そのものに限定することを意図されたものではなく、上記教示を考慮すると多くの変形形態及び変化形態が可能であることが明らかである。上記実施形態は、他の当業者が、本発明や、考えられる特定の使用に適合するような様々な変形を伴った様々な実施形態を最良に活用できるように、本発明の原理及びその実際の適用を最良に説明するために選択して説明したものである。本明細書全体を通して、「ｉｎｃｌｕｄｉｎｇ」及び「ｉｎ  ｗｈｉｃｈ」は、それぞれ、「ｃｏｍｐｒｉｓｉｎｇ」及び「ｗｈｅｒｅｉｎ」と同等の平易な英語として用いたものである。さらに、「第１」、「第２」、「第３」等は、単にラベルとして用いたものであり、それらの対象物に数値的要件を課すこと、又はある特定の重要性の順位付けを行うこと意図されたものではない。
【符号の説明】
【０１１８】
１００，２００，３００    増幅器回路
１０１，２０１，３０１    入力信号
１０２，２０２，３０２    信号分配器
１０３，２０３，３０３    入力ポート
１０４，１０５    第１抵抗器
１０６    第２抵抗器
１０７，１０８，２０７，２０８    分配信号
３０７，３０８，３３５    分配信号
１０９，１１０，２０９，２１０    信号経路
３０９，３１０，３２８    信号経路
１１１，１１２，２１１，２１２    増幅器
３１１，３１２，３２９    増幅器
１１３，１１４，２１３，２１４    増幅信号
３１３，３１４，３３０    増幅信号
１１５，２１５，３１５    ダイプレクサ
１１６，１１７，２１６，２１７    第１周波数選択素子
３１６，３１７，３３１    第１周波数選択素子
１１８，２１８，３１８    合成増幅信号
１１９，２１９，３１９，３３２    振幅調整素子
１２０，２２０，３２０，３３３    位相シフタ
１２１    加え合わせ点
２２５，２２６，３２５，３２６，３２７    第２周波数選択素子
５５０，５５１，５５２    周波数帯域
Ｓ１−Ｓ４    方法工程
【図１】
2019033473.tif 000003
【図２】
2019033473.tif 000004
【図３】
2019033473.tif 000005
【図４】
2019033473.tif 000006
【図５】
2019033473.tif 000007